【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
ｐＨ測定値を取得するためのシステムであって、
前記システムは、少なくとも１つの使い捨てプローブを備え、
前記少なくとも１つの使い捨てプローブは、
少なくとも２つの電極と、
基準溶液と試料との間の仮想液界を支持するように配列および構築されている少なくとも１つの流体チャネルと
を備え、
少なくとも１つの電極は、前記基準溶液と接触して基準電極として機能し、少なくとも１つの電極は、前記試料と接触して指示電極として機能する、システム。
【請求項２】
前記仮想液界からの乾燥を防止すること、または、前記使い捨てプローブの端部と係合して前記端部を保護することを行なうように構成されているキャップをさらに備えている、請求項１に記載のシステム。
【請求項３】
前記少なくとも１つの基準電極および前記少なくとも１つの指示電極は、前記少なくとも１つの流体チャネル内に位置付けられている、請求項１に記載のシステム。
【請求項４】
前記少なくとも１つの流体チャネルは、前記基準溶液を輸送するように構築および配列されている、請求項１に記載のシステム。
【請求項５】
前記輸送を生じさせるように構築および配列されている圧送アセンブリをさらに備えている、請求項４に記載のシステム。
【請求項６】
前記少なくとも１つの流体チャネルは、前記試料を輸送するように構築および配列されている、請求項１に記載のシステム。
【請求項７】
基準溶液を格納するように構築および配列されている、リザーバをさらに備えている、請求項１に記載のシステム。
【請求項８】
前記少なくとも１つの基準電極と前記基準溶液リザーバとの間に位置付けられている障壁をさらに備え、前記障壁は、流体の流動を可能にするために、除去、破壊または開放されるように構成されている、請求項７に記載のシステム。
【請求項９】
前記使い捨てプローブは、第１の部分および第２の部分を備え、前記第１の部分は、前記少なくとも１つの基準電極を備え、前記第２の部分は、前記少なくとも１つの指示電極を備えている、請求項１に記載のシステム。
【請求項１０】
前記使い捨てプローブは、少なくとも１つの基板を備えている多層構造を備えている、請求項１に記載のシステム。
【請求項１１】
少なくとも１つの電極は、酸化イリジウム電極を備えている、請求項１に記載のシステム。
【請求項１２】
前記少なくとも１つの基準電極は、少なくとも１つの基板上に搭載されている、請求項１に記載のシステム。
【請求項１３】
前記少なくとも１つの指示電極は、ＭＥＭＳプロセスを使用して製造される、請求項１に記載のシステム。
【請求項１４】
読み取り機は、電子機器モジュールを備え、前記電子機器モジュールは、データを記憶すること、有線または無線通信を介して少なくとも１つの外部デバイスと通信すること、内部診断チェックを実施すること、およびそれらの組み合わせのうちの少なくとも１つを行なうように構築および配列されている、請求項１に記載のシステム。
【請求項１５】
前記使い捨てプローブと動作可能に係合し、前記試料のｐＨ情報を提供するように構成されている読み取り機をさらに備えている、請求項１に記載のシステム。
【請求項１６】
前記少なくとも１つの流体チャネルは、前記基準溶液を前記少なくとも１つの基準電極に輸送するように構築および配列されている、請求項４に記載のシステム。
【請求項１７】
複数の流体チャネルをさらに備え、第１の流体チャネルは、第１の指示電極および第１の基準電極を備え、第２の流体チャネルは、第２の指示電極および第２の基準電極を備えている、請求項１に記載のシステム。
【請求項１８】
前記障壁は、オペレータ作動されるように構築および配列されている、請求項８に記載のシステム。
【請求項１９】
前記少なくとも１つの電極を囲む除去可能なカバーをさらに備えている、請求項１に記載のシステム。
【請求項２０】
追加の使い捨てプローブをさらに備えている、請求項１に記載のシステム。
【手続補正２】
【補正対象書類名】明細書
【補正対象項目名】００１７
【補正方法】変更
【補正の内容】
【００１７】
本明細書において説明する技術は、その属性および付随する利点とともに、添付の図面と関連して行われる以下の詳細な説明を考慮することによって、最も良く理解されよう。なお、添付の図面には、代表的な実施形態が例示として記載されている。
本願明細書は、例えば、以下の項目も提供する。
（項目１）
ｐＨ測定値を取得するためのシステムであって、
少なくとも１つの指示電極と少なくとも１つの基準電極とを備えている使い捨てプローブと、
前記使い捨てプローブと動作可能に係合し、試料のｐＨ情報を提供するように構成されている読み取り機と
を備えている、システム。
（項目２）
前記システムは、前記試料溶液の電位差測定値に基づいて前記ｐＨ情報を提供するように構築および配列されており、前記試料溶液の電位差測定値は、前記少なくとも１つの基準電極が基準溶液と接触し、かつ、前記少なくとも１つの指示電極が前記試料と接触しているときの前記少なくとも１つの指示電極および前記少なくとも１つの基準電極から受信される信号に基づいている、項目１に記載のシステム。
（項目３）
リザーバをさらに備えている、項目１に記載のシステム。
（項目４）
前記リザーバ内に位置付けられている緩衝液をさらに備えている、項目３に記載のシステム。
（項目５）
前記使い捨てプローブは、前記リザーバを備えている、項目３に記載のシステム。
（項目６）
前記読み取り機は、前記リザーバを備えている、項目３に記載のシステム。
（項目７）
液界をさらに備えている、項目１に記載のシステム。
（項目８）
前記液界は、仮想液界を備えている、項目７に記載のシステム。
（項目９）
前記液界からの乾燥を防止するように構成されているキャップをさらに備えている、項目７に記載のシステム。
（項目１０）
流体を第１の場所から第２の場所に輸送するように構築および配列されている、流体チャネルをさらに備えている、項目１に記載のシステム。
（項目１１）
前記使い捨てプローブは、前記流体チャネルを備えている、項目１０に記載のシステム。
（項目１２）
前記読み取り機は、前記流体チャネルを備えている、項目１０に記載のシステム。
（項目１３）
前記流体チャネルは、第１の部分および第２の部分を備え、前記使い捨てプローブは、前記第１の部分を備え、前記読み取り機は、前記第２の部分を備えている、項目１０に記載のシステム。
（項目１４）
前記少なくとも１つの基準電極および前記少なくとも１つの指示電極は、前記流体チャネル内に位置付けられている、項目１０に記載のシステム。
（項目１５）
前記流体チャネルは、基準溶液を輸送するように構築および配列されている、項目１０に記載のシステム。
（項目１６）
前記輸送を生じさせるように構築および配列されている圧送アセンブリをさらに備えている、項目１５に記載のシステム。
（項目１７）
前記流体チャネルは、試料溶液を輸送するように構築および配列されている、項目１０に記載のシステム。
（項目１８）
前記輸送を生じさせるように構築および配列されている圧送アセンブリをさらに備えている、項目１７に記載のシステム。
（項目１９）
前記システムは、仮想液界を前記流体チャネル内に生成するように構築および配列されている、項目１０に記載のシステム。
（項目２０）
複数の流体チャネルをさらに備え、第１の流体チャネルは、流体を第１の場所から第２の場所に輸送するように構築および配列され、第２の流体チャネルは、流体を第３の場所から第４の場所に輸送するように構築および配列されている、項目１に記載のシステム。
（項目２１）
前記第１の流体チャネルは、第１の指示電極および第１の基準電極を備え、前記第２の流体チャネルは、第２の指示電極および第２の基準電極を備えている、項目２０に記載のシステム。
（項目２２）
第１の圧送アセンブリをさらに備えている、項目２０に記載のシステム。
（項目２３）
第２の圧送アセンブリをさらに備え、前記第１の圧送アセンブリは、第１の流体チャネルと流体連通し、前記第２の圧送アセンブリは、第２の流体チャネルと流体連通する、項目２２に記載のシステム。
（項目２４）
基準溶液を格納するように構築および配列されている、リザーバをさらに備えている、項目１に記載のシステム。
（項目２５）
前記少なくとも１つの基準電極と前記基準溶液リザーバとの間に位置付けられている障壁をさらに備えている、項目２４に記載のシステム。
（項目２６）
前記障壁は、破壊可能および／または除去可能な部分を備えている、項目２５に記載のシステム。
（項目２７）
前記部分は、オペレータ作動されるように構築および配列されている、項目２６に記載のシステム。
（項目２８）
前記部分は、力を適用することによって、破壊および／または除去される、項目２６に記載のシステム。
（項目２９）
前記電子機器モジュールは、前記力の適用を作動するように構築および配列されている、項目２８に記載のシステム。
（項目３０）
前記使い捨てプローブは、第１の部分および第２の部分を備え、前記第１の部分は、前記少なくとも１つの基準電極を備え、前記第２の部分は、前記少なくとも１つの指示電極を備えている、項目１に記載のシステム。
（項目３１）
前記第１の部分は、前記読み取り機と動作可能に係合するように構築および配列されている、項目３０に記載のシステム。
（項目３２）
前記第２の部分は、前記第１の部分と動作可能に係合するように構築および配列されている、項目３１に記載のシステム。
（項目３３）
前記第２の部分は、ハンドルを備えている、項目３２に記載のシステム。
（項目３４）
前記第１の部分は、前記読み取り機と係合するように構築および配列されている第１のフィラメントを備え、前記第２の部分は、前記読み取り機と係合するように構築および配列されている第２のフィラメントを備えている、項目３０に記載のシステム。
（項目３５）
前記第１のフィラメントは、前記少なくとも１つの基準電極を備え、前記第２のフィラメントは、前記少なくとも１つの指示電極を備えている、項目３４に記載のシステム。
（項目３６）
前記使い捨てプローブは、少なくとも１つの基板を備えている多層構造を備えている、項目１に記載のシステム。
（項目３７）
前記少なくとも１つの指示電極は、前記少なくとも１つの基板に固定して搭載されている、項目３６に記載のシステム。
（項目３８）
前記少なくとも１つの基板は、ガラス、シリコン、プラスチック、およびそれらの組み合わせから成る群から選択される材料を備えている、項目３７に記載のシステム。
（項目３９）
前記使い捨てプローブは、ＭＥＭＳ製造された構成要素を備えている、項目１に記載のシステム。
（項目４０）
前記使い捨てプローブは、前記使い捨てプローブの一端と係合するように構築および配列されているキャップをさらに備えている、項目１に記載のシステム。
（項目４１）
前記少なくとも１つの指示電極は、酸化イリジウム電極を備えている、項目１に記載のシステム。
（項目４２）
前記少なくとも１つの基準電極は、酸化イリジウム電極を備えている、項目４１に記載のシステム。
（項目４３）
少なくとも２つの指示電極を備えている、項目１に記載のシステム。
（項目４４）
前記少なくとも１つの指示電極は、作動可能である、項目１に記載のシステム。
（項目４５）
前記少なくとも１つの指示電極を作動するように構築および配列されている制御可能なオリフィスをさらに備えている、項目４４に記載のシステム。
（項目４６）
搭載パッドおよび少なくとも１つの基板をさらに備え、前記少なくとも１つの指示電極は、前記搭載パッドに固定して取り付けられ、前記搭載パッドは、前記少なくとも１つの基板に固定して取り付けられている、項目１に記載のシステム。
（項目４７）
前記搭載パッドは、チタン搭載パッドを備えている、項目４６に記載のシステム。
（項目４８）
前記少なくとも１つの基板は、ガラス、シリコン、プラスチック、およびそれらの組み合わせから成る群から選択される材料を備えている、項目４６に記載のシステム。
（項目４９）
少なくとも第２の基板をさらに備えている、項目４６に記載のシステム。
（項目５０）
前記少なくとも第２の基板は、開口部を備え、前記少なくとも１つの指示電極は、前記開口部内に位置付けられている、項目４９に記載のシステム。
（項目５１）
前記少なくとも１つの基準電極は、前記少なくとも１つの基板上に搭載されている、項目４６に記載のシステム。
（項目５２）
前記少なくとも１つの指示電極は、ＭＥＭＳプロセスを使用して製造される、項目１に記載のシステム。
（項目５３）
前記少なくとも１つの基準電極は、複数の試料に関するｐＨ情報を提供するように構築および配列されている、項目１に記載のシステム。
（項目５４）
少なくとも第２の指示電極をさらに備え、前記第１の指示電極は、第１の試料のｐＨ情報を提供するように構築および配列され、前記第２の指示電極は、第２の試料のｐＨ情報を提供するように構築および配列されている、項目５３に記載のシステム。
（項目５５）
前記少なくとも１つの基準電極は、銀塩化銀基準電極を備えている、項目１に記載のシステム。
（項目５６）
前記少なくとも１つの基準電極は、酸化イリジウム基準電極を備えている、項目１に記載のシステム。
（項目５７）
前記少なくとも１つの基準電極は、銀塩化銀基準電極を備えている、項目１に記載のシステム。
（項目５８）
少なくとも２つの基準電極を備えている、項目１に記載のシステム。
（項目５９）
前記少なくとも１つの基準電極を囲むカバーをさらに備えている、項目１に記載のシステム。
（項目６０）
前記読み取り機は、前記使い捨てプローブと動作可能に係合するように構築および配列されているポートを備えている、項目１に記載のシステム。
（項目６１）
前記ポートは、前記少なくとも１つの基準電極に電気的に接続するように構築および配列されている、項目６０に記載のシステム。
（項目６２）
前記ポートは、前記少なくとも１つの指示電極に電気的に接続するように構築および配列されている、項目６０に記載のシステム。
（項目６３）
前記ポートは、前記使い捨てプローブに流動的に接続するように構築および配列されている、項目６０に記載のシステム。
（項目６４）
前記使い捨てプローブは、流体チャネルを備え、前記ポートは、前記流体チャネルに流動的に接続するように構築および配列されている、項目６３に記載のシステム。
（項目６５）
前記読み取り機は、ユーザインターフェースを備えている、項目１に記載のシステム。
（項目６６）
前記ユーザインターフェースは、システム情報を表示するように構築および配列されている、項目６５に記載のシステム。
（項目６７）
前記システム情報は、システム準備状態情報、電力レベル、アラートまたはアラーム条件情報、消耗品の現在のステータス、およびそれらの組み合わせから成る群から選択される、項目６６に記載のシステム。
（項目６８）
前記読み取り機は、電子機器モジュールを備えている、項目１に記載のシステム。
（項目６９）
前記電子機器モジュールは、前記少なくとも１つの指示電極に電気的に接続するように構築および配列されている、項目６８に記載のシステム。
（項目７０）
前記読み取り機は、前記電子機器モジュールを前記使い捨てプローブの近位端に電気的に接続するように構築および配列されているポートを備えている、項目６９に記載のシステム。
（項目７１）
前記電子機器モジュールは、前記少なくとも１つの基準電極に電気的に接続するように構築および配列されている、項目６８に記載のシステム。
（項目７２）
前記読み取り機は、前記電子機器モジュールを前記使い捨てプローブの近位端に電気的に接続するように構築および配列されているポートを備えている、項目７１に記載のシステム。
（項目７３）
前記電子機器モジュールは、データの記憶、有線または無線通信等を介した１つ以上の外部デバイスとの通信、内部診断チェックの実施、およびそれらの組み合わせのうちの少なくとも１つを行なうように構築および配列されている、項目６８に記載のシステム。
（項目７４）
圧送機構をさらに備えている、項目１に記載のシステム。
（項目７５）
前記圧送機構は、ポンプを備えている、項目７４に記載のシステム。
（項目７６）
前記圧送機構は、機械的圧送機構を備えている、項目７４に記載のシステム。
（項目７７）
前記圧送機構は、プランジャを備えている、項目７６に記載のシステム。
（項目７８）
流体チャネルをさらに備え、前記圧送機構は、前記流体チャネルに摺動可能に係合するように構築および配列されているＯリングをさらに備えている、項目７７に記載のシステム。
（項目７９）
前記読み取り機は、前記圧送機構を備えている、項目７４に記載のシステム。
（項目８０）
前記読み取り機は、流体チャネルを備え、前記圧送機構は、第１の流体を前記流体チャネル内に移動させるように構築および配列されている、項目７４に記載のシステム。
（項目８１）
前記使い捨てプローブは、遠位端を備え、前記圧送機構は、第２の流体を前記遠位端に流入させるようにさらに構築および配列されている、項目８０に記載のシステム。
（項目８２）
前記第２の流体は、試料流体を備えている、項目８１に記載のシステム。
（項目８３）
前記圧送機構は、流体に前記少なくとも１つの基準電極を覆わせるようにさらに構築および配列されている、項目８０に記載のシステム。
（項目８４）
流体チャネルをさらに備え、前記圧送機構は、前記流体チャネルを流体で充填するようにさらに構築および配列されている、項目８０に記載のシステム。
（項目８５）
センサをさらに備えている、項目１に記載のシステム。
（項目８６）
前記センサは、温度センサ、湿度センサ、圧力センサ、およびそれらの組み合わせから成る群から選択される、項目８５に記載のシステム。
（項目８７）
前記読み取り機は、前記センサを備えている、項目８５に記載のシステム。
（項目８８）
前記使い捨てプローブは、前記センサを備えている、項目８５に記載のシステム。
（項目８９）
第２の使い捨てプローブをさらに備えている、項目１に記載のシステム。
（項目９０）
前述の図を参照して説明される、システム。
（項目９１）
前述の図を参照して説明される、方法。